【手続補正書】
【提出日】平成18年2月2日(2006.2.2)
【手続補正１】
【補正対象書類名】明細書
【補正対象項目名】特許請求の範囲
【補正方法】変更
【補正の内容】
【特許請求の範囲】
【請求項１】  タイミング信号出力を有するポンプ・タイミング回路であって、前記タイミング信号出力はタイミング信号を供給する、前記ポンプ・タイミング回路と；および
それぞれ伝達回路及びポンプ・ノードを含む複数の直列電荷ポンプ・ステージであって、複数の電荷ポンプ・ステージの一つのポンプ・ノードがコンデンサを介して前記タイミング信号出力に結合され、前記複数の直列電荷ポンプ・ステージは、電荷ポンプ出力を有し、電荷は、前記タイミング信号に応答して、前記複数の電荷ポンプ・ステージを通して、前記電荷ポンプ出力へと励起され、および前記タイミング信号は、第一のタイミング信号コンポーネントおよび第二のタイミング信号コンポーネントによって駆動され、および前記第一のタイミング信号コンポーネントの開始は、前記第二のタイミング信号コンポーネントの開始からの遅延によって分離される、前記複数の直列電荷ポンプ・ステージと
を具備する電荷ポンプ。
【請求項２】  前記タイミング信号の電流の方向は、前記第一のタイミング信号コンポーネントおよび前記第二のタイミング信号コンポーネントの両方の間、一定に維持されることを特徴とする、請求項１に記載の電荷ポンプ。
【請求項３】  前記タイミング信号の電力は、前記第二のタイミング信号コンポーネントの開始によって増加することを特徴とする、請求項１に記載の電荷ポンプ。
【請求項４】  前記タイミング信号の前記電力は、前記コンデンサを、電圧源、電流源、およびアースのうちの、少なくとも一つに接続することによって、前記第二のタイミング信号コンポーネントの開始によって増加することを特徴とする、請求項３に記載の電荷ポンプ。
【請求項５】  前記電荷ポンプ出力へと励起される前記電荷は、陽であることを特徴とする、請求項１に記載の電荷ポンプ。
【請求項６】  前記ポンプ・タイミング回路が、複数のタイミング信号入力および複数のタイミング信号出力を有するポンプ・タイミング回路を具備し、前記複数のタイミング信号出力は、複数のポンプ・タイミング信号を受信し、前記複数のタイミング信号出力は、複数の増幅されたポンプ・タイミング信号を供給し、
前記複数の直列電荷ポンプ・ステージが、
それぞれの伝達回路及びポンプ・ノードを含む複数の直列の電荷ポンプ・ステージを具備し、複数の電荷ポンプ・ステージのポンプ・ノードがそれぞれ複数のコンデンサを介して前記複数のタイミング信号出力に結合されており、前記複数の直列電荷ポンプ・ステージは、複数の電荷ポンプ出力を介した１つの電荷ポンプ出力を有し、電荷は、前記複数の増幅されたポンプ・タイミング信号に応答して、前記複数の電荷ポンプ・ステージを通して、前記電荷ポンプ出力へと励起され、および前記複数の増幅されたポンプ・タイミング信号のうち、少なくとも一つは、第一のタイミング信号コンポーネントおよび第二のタイミング信号コンポーネントによって駆動され、および前記第一のタイミング信号コンポーネントの開始は、遅延によって、前記第二のタイミング信号コンポーネントの開始により分離される、前記複数の直列電荷ポンプ・ステージと
を具備する、請求項１記載の電荷ポンプ。
【請求項７】  前記第一のタイミング信号コンポーネントの前記開始および前記第二のタイミング信号コンポーネントの前記開始は、前記複数のポンプ・タイミング信号のうちの二つによって定義される個別の移行端部によって定義されることを特徴とする、請求項６に記載の電荷ポンプ。
【請求項８】  前記第一のタイミング信号コンポーネントの前記開始および前記第二のタイミング信号コンポーネントの前記開始は、複数のクロック信号によって定義されることを特徴とする、請求項６に記載の電荷ポンプ。
【請求項９】  前記複数の増幅されたポンプ・タイミング信号のうちの、前記少なくとも一つの電流の方向は、前記第一のタイミング信号コンポーネントと前記第二のタイミング信号コンポーネントの両方の間、一定に維持されることを特徴とする、請求項６に記載の電荷ポンプ。
【請求項１０】  前記複数の増幅されたポンプ・タイミング信号のうちの、前記少なくとも一つの電力は、前記第二のタイミング信号コンポーネントの前記開始によって増加することを特徴とする、請求項６に記載の電荷ポンプ。
【請求項１１】  前記複数の増幅されたポンプ・タイミング信号のうちの、前記少なくとも一つの前記電力は、前記コンデンサの一つを、電圧源、電流源、およびアースのうちの少なくとも一つに接続することによって、増加することを特徴とする、請求項１０に記載の電荷ポンプ。
【請求項１２】  前記複数の直列電荷ポンプ・ステージのちの第一のものが、
第一のターミナルおよび第二のターミナルを有する第一のポンプ・コンデンサであって、前記第一のポンプ・コンデンサの前記第一のターミナルは、第一のポンプ・クロック信号に結合される、前記ポンプ・コンデンサと；
第一のターミナルおよび第二のターミナルを有する第一の伝達コンデンサ（transfer capacitor）であって、前記第一の伝達コンデンサの前記第一のターミナルは、第一の伝達クロック信号に結合される、前記伝達コンデンサと；
電荷を、前記第一のポンプ・コンデンサの前記第二のターミナルに伝達するよう適応した第一のトランジスタであって、前記第一のトランジスタは、ゲート（gate）と、第一のターミナルと、並びに第二のターミナルとを有し、および前記第一のトランジスタの前記ゲートは、前記第一の伝達コンデンサの前記第二のターミナルに接続され、および前記第一のトランジスタの前記第二のターミナルは、前記第一のポンプ・コンデンサの前記第二のターミナルに接続される、前記第一のトランジスタと；
前記第一のトランジスタの前記ゲートを、前記第一のトランジスタの前記第一のターミナルに選択的に結合するように適応した第二のトランジスタであって、前記第二のトランジスタは、ゲートと、第一のターミナルと、ならびに第二のターミナルとを有し、前記第二のトランジスタの前記ゲートは、前記第一のポンプ・コンデンサの前記第二のターミナルに接続され、および前記第二のトランジスタの前記第二のターミナルは、前記第一のトランジスタの前記ゲートに接続され、および前記第二のトランジスタの前記第一のターミナルは、前記第一のトランジスタの前記第一のターミナルに接続される、前記第二のトランジスタと；
を具備し、
前記ポンプ・タイミング回路が、
ａ）前記第一の伝達クロック信号と、およびｂ）前記第一のポンプ・コンデンサの前記第一のターミナルとに結合されたクロック回路と
を具備する、請求項１記載の電荷ポンプ。
【請求項１３】  前記クロック回路は、ゲートと、第一のターミナルと、並びに第二のターミナルとを有するルーティング・トランジスタ（routing transistor）を含み、前記ルーティング・トランジスタの前記ゲートは、前記第一の伝達クロック信号に結合され、前記ルーティング・トランジスタの前記第一のターミナルは、前記第一のポンプ・コンデンサの前記第一のターミナルに結合され、前記ルーティング・トランジスタの前記第二のターミナルは、電圧源、電流源、およびアースのうちの一つに結合されることを特徴とする、請求項１２に記載の電荷ポンプ。
【請求項１４】  前記第一のポンプ・クロック信号および前記第一の伝達クロック信号のうち、少なくとも一つに結合された増幅回路をさらに具備する、請求項１２に記載の電荷ポンプであって、前記増幅回路は、前記第一のポンプ・クロック信号および前記第一の伝達クロック信号のうちの、前記少なくとも一つの前記電力を増加することを特徴とする、前記電荷ポンプ。
【請求項１５】  第一のターミナルおよび第二のターミナルを有するダイオードをさらに具備する、請求項１２に記載の電荷ポンプであって、前記ダイオードの前記第一のターミナルは、前記第一のポンプ・コンデンサの前記第二のターミナルに結合されることを特徴とする、前記電荷ポンプ。
【請求項１６】  前記複数の直列電荷ポンプ・ステージのうちの第一のものが、
第一のターミナルおよび第二のターミナルを有する第一のポンプ・コンデンサであって、前記第一のポンプ・コンデンサの前記第一のターミナルは、第一のポンプ・クロック信号に結合される、前記第一のポンプ・コンデンサと；
第一のターミナルおよび第二のターミナルを有する第一の伝達コンデンサであって、前記第一の伝達コンデンサの前記第一のターミナルは、第一の伝達クロック信号に結合される、前記第一の伝達コンデンサと；
電荷を、前記第一のポンプ・コンデンサの前記第二のターミナルに伝達するよう適応した第一のトランジスタであって、前記第一のトランジスタは、ゲートと、第一のターミナルと、ならびに第二のターミナルとを有し、前記第一のトランジスタの前記ゲートは、前記第一の伝達コンデンサの前記第二のターミナルに接続され、前記第一のトランジスタの前記第二のターミナルは、前記第一のポンプ・コンデンサの前記第二のターミナルに接続される、前記第一のトランジスタと；
前記第一のトランジスタの前記ゲートを、前記第一のトランジスタの前記第一のターミナルに選択的に結合するように適応した第二のトランジスタであって、前記第二のトランジスタは、ゲートと、第一のターミナルと、ならびに第二のターミナルとを有し、前記第二のトランジスタの前記ゲートは、前記第一のポンプ・コンデンサの前記第二のターミナルに接続され、前記第二のトランジスタの前記第二のターミナルは、前記第一のトランジスタの前記ゲートに接続され、前記第二のトランジスタの前記第一のターミナルは、前記第一のトランジスタの前記第一のターミナルに接続される、前記第二のトランジスタと；
を具備し、
前記複数の直列電荷ポンプ・ステージのうちの第二のものが、
第一のターミナルおよび第二のターミナルを有する第二のポンプ・コンデンサであって、前記第二のポンプ・コンデンサの前記第一のターミナルは、第二のポンプ・クロック信号に結合される、前記第二のポンプ・コンデンサと；
第一のターミナルおよび第二のターミナルを有する第二の伝達コンデンサであって、前記第二の伝達コンデンサの前記第一のターミナルは、第二の伝達クロック信号に結合される、前記第二の伝達コンデンサと；
電荷を、前記第二のポンプ・コンデンサの前記第二のターミナルに伝達するよう適応した第三のトランジスタであって、前記第三のトランジスタは、ゲートと、第一のターミナルと、ならびに第二のターミナルとを有し、前記第三のトランジスタの前記ゲートは、前記第二の伝達コンデンサの前記第二のターミナルに接続され、前記第三のトランジスタの前記第一のターミナルは、前記第一のトランジスタの前記第二のターミナルに接続され、前記第三のトランジスタの前記第二のターミナルは、前記第二のポンプ・コンデンサの前記第二のターミナルに接続される、前記第三のトランジスタと；
前記第三のトランジスタの前記ゲートを、前記第三のトランジスタの前記第一のターミナルに選択的に結合するように適応した第四のトランジスタであって、前記第四のトランジスタは、ゲートと、第一のターミナルと、ならびに第二のターミナルとを有し、前記第四のトランジスタの前記ゲートは、前記第二のポンプ・コンデンサの前記第二のターミナルに接続され、前記第四のトランジスタの前記第二のターミナルは、前記第三のトランジスタの前記ゲートに接続され、および前記第四のトランジスタの前記第一のターミナルは、前記第三のトランジスタの前記第一のターミナルに接続される、前記第四のトランジスタと；
を具備し、
前記ポンプ・タイミング回路が、
クロック回路であって：
ａ）ゲートと、第一のターミナルと、ならびに第二のターミナルを有する第一のルーティング・トランジスタであって、前記第一のルーティング・トランジスタの前記ゲートは、前記第一の伝達クロック信号に結合され、前記第一のルーティング・トランジスタの前記第一のターミナルは、前記第一のポンプ・コンデンサの前記第一のターミナルに結合され、および前記第一のルーティング・トランジスタの前記第二のターミナルは、電圧源、電流源、ならびにアースのうちの一つに結合される、前記第一のルーティング・トランジスタと；
ｂ）ゲートと、第一のターミナルと、ならびに第二のターミナルを有する第二のルーティング・トランジスタであって、前記第二のルーティング・トランジスタの前記ゲートは、前記第二の伝達クロック信号に結合され、前記第二のルーティング・トランジスタの前記第一のターミナルは、前記第一のポンプ・コンデンサの前記第一のターミナルに結合され、および前記第二のルーティング・トランジスタの前記第二のターミナルは、電圧源、電流源、ならびにアースのうちの一つに結合される、前記第二のルーティング・トランジスタと；
ｃ）ゲートと、第一のターミナルと、ならびに第二のターミナルを有する第三のルーティング・トランジスタであって、前記第三のルーティング・トランジスタの前記ゲートは、前記第一の伝達クロック信号に結合され、前記第三のルーティング・トランジスタの前記第一のターミナルは、前記第二のポンプ・コンデンサの前記第一のターミナルに結合され、および前記第三のルーティング・トランジスタの前記第二のターミナルは、電圧源、電流源、ならびにアースのうちの一つに結合される、前記第三のルーティング・トランジスタと；および
ｄ）ゲートと、第一のターミナルと、および第二のターミナルとを有する第四のルーティング・トランジスタであって、前記第四のルーティング・トランジスタの前記ゲートは、前記第二の伝達クロック信号に結合され、前記第四のルーティング・トランジスタの前記第一のターミナルは、前記第二のポンプ・コンデンサの前記第一のターミナルに結合され、および前記第四のルーティング・トランジスタの前記第二のターミナルは、電圧源、電流源、ならびにアースのうちの一つに結合される、前記第四のルーティング・トランジスタのうちの一つ以上を含む前記クロック回路とを具備する、請求項１記載の電荷ポンプ。
【請求項１７】  前記第一のポンプ・クロック信号と、前記第一の伝達クロック信号と、前記第二のポンプ・クロック信号と、および前記第二の伝達クロック信号のうち、少なくとも一つに結合された増幅回路をさらに具備する、請求項１６に記載の電荷ポンプであって、前記増幅回路は、前記第一のポンプ・クロック信号と、前記第一の伝達クロック信号と、前記第二のポンプ・クロック信号と、および前記第二の伝達クロック信号のうちの、前記少なくとも一つの前記電力を増加させることを特徴とする、前記電荷ポンプ。
【請求項１８】  ａ）前記第一の伝達クロック信号を、前記第三のルーティング・トランジスタの前記ゲートに結合する増幅回路と、ｂ）前記第二の伝達クロック信号を、前記第二のルーティング・トランジスタの前記ゲートに結合する増幅回路と、ｃ）前記第一の伝達クロック信号を、前記第一のルーティング・トランジスタの前記ゲートに結合する増幅回路と、およびｄ）前記第二の伝達クロック信号を、前記第四のルーティング・トランジスタの前記ゲートに結合する増幅回路のうち、少なくとも一つをさらに具備する、請求項１６に記載の電荷ポンプ。
【請求項１９】  前記増幅回路は：
ａ）第一の複数のインバータであって：
入力および出力を有する第一のインバータであって、前記第一のインバータの前記入力は、前記第一のポンプ・クロック信号に結合される、前記第一のインバータと；
入力および出力を有する第二のインバータであって、前記第二のインバータの前記入力は、前記第一のインバータの前記出力に接続される、前記第二のインバータと；
入力および出力を有する第三のインバータであって、前記第三のインバータの前記入力は、前記第二のインバータの前記出力に接続される、前記第三のインバータと；
入力および出力を有する第四のインバータであって、前記第四のインバータの前記入力は、前記第三のインバータの前記出力に接続され、および前記第四のインバータの前記出力は、前記第一のポンプ・コンデンサの前記第一のターミナルに接続される、前記第四のインバータと；
を含む前記第一の複数のインバータと；
ｂ）第二の複数のインバータであって：
入力および出力を有する第五のインバータであって、前記第五のインバータの前記入力は、前記第二の伝達クロック信号に結合される、前記第五のインバータと；
入力および出力を有する第六のインバータであって、前記第六のインバータの前記入力は、前記第五のインバータの前記出力に接続される、前記第六のインバータと；
入力および出力を有する第七のインバータであって、前記第七のインバータの前記入力は、前記第六のインバータの前記出力に接続される、前記第七のインバータと；
入力および出力を有する第八のインバータであって、前記第八のインバータの前記入力は、前記第七のインバータの前記出力に接続され、および前記第八のインバータの前記出力は、前記第二の伝達コンデンサの前記第一のターミナルに接続される、前記第八のインバータと；
を含む前記第二の複数のインバータと；
ｃ）第三の複数のインバータであって：
入力および出力を有する第九のインバータであって、前記第九のインバータの前記入力は、前記第二のポンプ・クロック信号に結合される、前記第九のインバータと；
入力および出力を有する第十のインバータであって、前記第十のインバータの前記入力は、前記第九のインバータの前記出力に接続される、前記第十のインバータと；
入力および出力を有する第十一のインバータであって、前記第十一のインバータの前記入力は、前記第十のインバータの前記出力に接続される、前記第十一のインバータと；
入力および出力を有する第十二のインバータであって、前記第十二のインバータの前記入力は、前記第十一のインバータの前記出力に接続され、および前記第十二のインバータの前記出力は、前記第二のポンプ・コンデンサの前記第一のターミナルに接続される、前記第十二のインバータと；
を含む前記第三の複数のインバータと；および
ｄ）第四の複数のインバータであって：
入力および出力を有する第十三のインバータであって、前記第十三のインバータの前記入力は、前記第一の伝達クロック信号に結合される、前記第十三のインバータと；
入力および出力を有する第十四のインバータであって、前記第十四のインバータの前記入力は、前記第十三のインバータの前記出力に接続される、前記第十四のインバータと；
入力および出力を有する第十五のインバータであって、前記第十五のインバータの前記入力は、前記第十四のインバータの前記出力に接続される、前記第十五のインバータと；
入力および出力を有する第十六のインバータであって、前記第十六のインバータの前記入力は、前記第十五のインバータの前記出力に接続され、および前記第十六のインバータの前記出力は、前記第一の伝達コンデンサの前記第一のターミナルに接続される、前記第十六のインバータと
を含む、前記第四の複数のインバータ
のうち、一つ以上を含むことを特徴とする、請求項１７に記載の電荷ポンプ。
【請求項２０】  前記第一のルーティング・トランジスタの前記ゲートは、前記第十六のインバータの前記出力に接続され、前記第二のルーティング・トランジスタの前記ゲートは、前記第七のインバータの前記出力に接続され、前記第三のルーティング・トランジスタの前記ゲートは、前記第十五のインバータの前記出力に接続され、および前記第四のルーティング・トランジスタの前記ゲートは、前記第八のインバータの前記出力に接続されることを特徴とする、請求項１９に記載の電荷ポンプ。
【請求項２１】  前記複数の直列電荷ポンプ・ステージのうちの第一のものが、
第一のターミナルおよび第二のターミナルを有する第一のポンプ・コンデンサであって、前記第一のポンプ・コンデンサの前記第一のターミナルは、第一のポンプ・クロック信号に結合される、前記第一のポンプ・コンデンサと；
第一のターミナルおよび第二のターミナルを有する第一の伝達コンデンサであって、前記第一の伝達コンデンサの前記第一のターミナルは、第一の伝達クロック信号に結合される、前記第一の伝達コンデンサと；
電荷を、前記第一のポンプ・コンデンサの前記第二のターミナルに伝達するように適応した第一のトランジスタであって、前記第一のトランジスタは、ゲートと、第一のターミナルと、ならびに第二のターミナルを有し、前記第一のトランジスタの前記ゲートは、前記第一の伝達コンデンサの前記第二のターミナルに接続され、前記第一のトランジスタの前記第二のターミナルは、前記第一のポンプ・コンデンサの前記第二のターミナルに接続される、前記第一のトランジスタと；
前記第一のトランジスタの前記ゲートを、前記第一のトランジスタの前記第一のターミナルに、選択的に結合するように適応した第二のトランジスタであって、前記第二のトランジスタは、ゲートと、第一のターミナルと、ならびに第二のターミナルを有し、前記第二のトランジスタの前記ゲートは、前記第一のポンプ・コンデンサの前記第二のターミナルに接続され、および前記第二のトランジスタの前記第二のターミナルは、前記第一のトランジスタの前記ゲートに接続され、前記第二のトランジスタの前記第一のターミナルは、前記第一のトランジスタの前記第一のターミナルに接続される、前記第二のトランジスタと；
を具備し、
前記複数の直列電荷ポンプ・ステージのうちの第二のものが、
第一のターミナルおよび第二のターミナルを有する第二のポンプ・コンデンサであって、前記第二のポンプ・コンデンサの前記第一のターミナルは、第二のポンプ・クロック信号に結合される、前記第二のポンプ・コンデンサと；
第一のターミナルおよび第二のターミナルを有する第二の伝達コンデンサであって、前記第二の伝達コンデンサの前記第一のターミナルは、第二の伝達クロック信号に結合される、前記第二の伝達コンデンサと；
電荷を、前記第二のポンプ・コンデンサの前記第二のターミナルに伝達するよう適応した第三のトランジスタであって、前記第三のトランジスタは、ゲートと、第一のターミナルと、ならびに第二のターミナルとを有し、前記第三のトランジスタの前記ゲートは、前記第二の伝達コンデンサの前記第二のターミナルに接続され、前記第三のトランジスタの前記第一のターミナルは、前記第一のトランジスタの前記第二のターミナルに接続され、および前記第三のトランジスタの前記第二のターミナルは、前記第二のポンプ・コンデンサの前記第二のターミナルに接続される、前記第三のトランジスタと；
第三のトランジスタの前記ゲートを、前記第三のトランジスタの前記第一のターミナルに選択的に結合するように適応した第四のトランジスタであって、前記第四のトランジスタは、ゲートと、第一のターミナルと、ならびに第二のターミナルとを有し、前記第四のトランジスタの前記ゲートは、前記第二のポンプ・コンデンサの前記第二のターミナルに接続され、前記第四のトランジスタの前記第二のターミナルは、前記第三のトランジスタの前記ゲートに接続され、および前記第四のトランジスタの前記第一のターミナルは、前記第三のトランジスタの前記第一のターミナルに接続される、前記第四のトランジスタと；
を具備し、
前記複数の直列電荷ポンプ・ステージのうちの第三のものが、
第一のターミナルおよび第二のターミナルを有する第三のポンプ・コンデンサであって、前記第三のポンプ・コンデンサの前記第一のターミナルは、前記第一のポンプ・クロック信号に結合される、前記第三のポンプ・コンデンサと；
第一のターミナルおよび第二のターミナルを有する第三の伝達コンデンサであって、前記第三の伝達コンデンサの前記第一のターミナルは、前記第一の伝達クロック信号に結合される、前記第三の伝達コンデンサと；
電荷を、前記第三のポンプ・コンデンサの前記第二のターミナルに伝達するように適応した第五のトランジスタであって、前記第五のトランジスタは、ゲートと、第一のターミナルと、ならびに第二のターミナルとを有し、前記第五のトランジスタの前記ゲートは、前記第三の伝達コンデンサの前記第二のターミナルに接続され、前記第五のトランジスタの前記第一のターミナルは、前記第三のトランジスタの前記第二のターミナルに接続され、および前記第五のトランジスタの前記第二のターミナルは、前記第三のポンプ・コンデンサの前記第二のターミナルに接続される、前記第五のトランジスタと；
前記第五のトランジスタの前記ゲートを、前記第五のトランジスタの前記第一のターミナルに選択的に結合するように適応した第六のトランジスタであって、前記第六のトランジスタは、ゲートと、第一のターミナルと、ならびに第二のターミナルとを有し、前記第六のトランジスタの前記ゲートは、前記第三のポンプ・コンデンサの前記第二のターミナルに接続され、前記第六のトランジスタの前記第二のターミナルは、前記第五のトランジスタの前記ゲートに接続され、および前記第六のトランジスタの前記第一のターミナルは、前記第五のトランジスタの前記第一のターミナルに接続される、前記第六のトランジスタと；
を具備し、
前記タイミング回路は、
クロック回路であって：
ａ）ゲートと、第一のターミナルと、ならびに第二のターミナルを有する第一のルーティング・トランジスタであって、前記第一のルーティング・トランジスタの前記ゲートは、前記第一の伝達クロック信号に結合され、前記第一のルーティング・トランジスタの前記第一のターミナルは、１）前記第一のポンプ・コンデンサの前記第一のターミナルと、および２）前記第三のポンプ・コンデンサの前記第一のターミナルとのうち、少なくとも一つに結合され、および前記第一のルーティング・トランジスタの前記第二のターミナルは、電圧源、電流源、ならびにアースのうちの一つに結合される、前記第一のルーティング・トランジスタと；
ｂ）ゲートと、第一のターミナルと、ならびに第二のターミナルを有する第二のルーティング・トランジスタであって、前記第二のルーティング・トランジスタの前記ゲートは、前記第二の伝達クロック信号に結合され、前記第二のルーティング・トランジスタの前記第一のターミナルは、１）前記第一のポンプ・コンデンサの前記第一のターミナルと、および２）前記第三のポンプ・コンデンサの前記第一のターミナルとのうち、少なくとも一つに結合され、および前記第二のルーティング・トランジスタの前記第二のターミナルは、電圧源、電流源、ならびにアースのうちの一つに結合される、前記第二のルーティング・トランジスタと；
ｃ）ゲートと、第一のターミナルと、ならびに第二のターミナルを有する第三のルーティング・トランジスタであって、前記第三のルーティング・トランジスタの前記ゲートは、前記第一の伝達クロック信号に結合され、前記第三のルーティング・トランジスタの前記第一のターミナルは、前記第二のポンプ・コンデンサの前記第一のターミナルに結合され、および前記第三のルーティング・トランジスタの前記第二のターミナルは、電圧源、電流源、ならびにアースのうちの一つに結合される、前記第三のルーティング・トランジスタと；および
ｄ）ゲートと、第一のターミナルと、ならびに第二のターミナルを有する第四のルーティング・トランジスタであって、前記第四のルーティング・トランジスタの前記ゲートは、前記第二の伝達クロック信号に結合され、前記第四のルーティング・トランジスタの前記第一のターミナルは、前記第二のポンプ・コンデンサの前記第一のターミナルに結合され、および前記第四のルーティング・トランジスタの前記第二のターミナルは、電圧源、電流源、ならびにアースのうちの一つに結合される、前記第四のルーティング・トランジスタ
のうち一つ以上を含む前記クロック回路と
を具備する、請求項１記載の電荷ポンプ。
【請求項２２】  前記第一のポンプ・クロック信号と、前記第一の伝達クロック信号と、前記第二のポンプ・クロック信号と、および前記第二の伝達クロック信号のうち、少なくとも一つに結合された増幅回路をさらに含む、請求項２１に記載の電荷ポンプであって、前記増幅回路は、前記第一のポンプ・クロック信号と、前記第一の伝達クロック信号と、前記第二のポンプ・クロック信号と、および前記第二の伝達クロック信号のうちの、前記少なくとも一つの前記電力を増加させることを特徴とする、前記電荷ポンプ。
【請求項２３】  ａ）前記第一の伝達クロック信号を、前記第三のルーティング・トランジスタの前記ゲートに結合する増幅回路と、ｂ）前記第二の伝達クロック信号を、前記第二のルーティング・トランジスタの前記ゲートに結合する増幅回路と、ｃ）前記第一の伝達クロック信号を、前記第一のルーティング・トランジスタの前記ゲートに結合する増幅回路と、およびｄ）前記第二の伝達クロック信号を、前記第四のルーティング・トランジスタの前記ゲートに結合する増幅回路のうち、少なくとも一つをさらに具備する、請求項２１に記載の電荷ポンプ。
【請求項２４】  前記増幅回路は：
ａ）第一の複数のインバータであって：
入力および出力を有する第一のインバータであって、前記第一のインバータの前記入力は、前記第一のポンプ・クロック信号に結合される、前記第一のインバータと；
入力および出力を有する第二のインバータであって、前記第二のインバータの前記入力は、前記第一のインバータの前記出力に接続される、前記第二のインバータと；
入力および出力を有する第三のインバータであって、前記第三のインバータの前記入力は、前記第二のインバータの前記出力に接続される、前記第三のインバータと；
入力および出力を有する第四のインバータであって、前記第四のインバータの前記入力は、前記第三のインバータの前記出力に接続され、前記第四のインバータの前記出力は、１）前記第一のポンプ・コンデンサの前記第一のターミナルと、および２）前記第三のポンプ・コンデンサの前記第一のターミナルとのうち、少なくとも一つに接続される、前記第四のインバータと
を含む、前記第一の複数のインバータと
ｂ）第二の複数のインバータであって：
入力および出力を有する第五のインバータであって、前記第五のインバータの前記入力は、前記第二の伝達クロック信号に結合される、前記第五のインバータと；
入力および出力を有する第六のインバータであって、前記第六のインバータの前記入力は、前記第五のインバータの前記出力に接続される、前記第六のインバータと；
入力および出力を有する第七のインバータであって、前記第七のインバータの前記入力は、前記第六のインバータの前記出力に接続される、前記第七のインバータと；
入力および出力を有する第八のインバータであって、前記第八のインバータの前記入力は、前記第七のインバータの前記出力に接続され、および前記第八のインバータの前記出力は、前記第二の伝達コンデンサの前記第一のターミナルに接続される、前記第八のインバータとを含む前記第二の複数のインバータと；
ｃ）第三の複数のインバータであって：
入力および出力を有する第九のインバータであって、前記第九のインバータの前記入力は、前記第二のポンプ・クロック信号に結合される、前記第九のインバータと；
入力および出力を有する第十のインバータであって、前記第十のインバータの前記入力は、前記第九のインバータの前記出力に接続される、前記第十のインバータと；
入力および出力を有する第十一のインバータであって、前記第十一のインバータの前記入力は、前記第十のインバータの前記出力に接続される、前記第十一のインバータと；
入力および出力を有する第十二のインバータであって、前記第十二のインバータの前記入力は、前記第十一のインバータの前記出力に接続され、および前記第十二のインバータの前記出力は、前記第二のポンプ・コンデンサの前記第一のターミナルに接続される、前記第十二のインバータと
を含む、前記第三の複数のインバータと；および
ｄ）第四の複数のインバータであって：
入力および出力を有する第十三のインバータであって、前記第十三のインバータの前記入力は、前記第一の伝達クロック信号に結合される、前記第十三のインバータと；
入力および出力を有する第十四のインバータであって、前記第十四のインバータの前記入力は、前記第十三のインバータの前記出力に接続される、前記第十四のインバータと；
入力および出力を有する第十五のインバータであって、前記第十五のインバータの前記入力は、前記第十四のインバータの前記出力に接続される、前記第十五のインバータと；
入力および出力を有する第十六のインバータであって、前記第十六のインバータの前記入力は、前記第十五のインバータの前記出力に接続され、および前記第十六のインバータの前記出力は、１）前記第一の伝達コンデンサの前記第一のターミナルと、および２）前記第三の伝達コンデンサの前記第一のターミナルとのうち、少なくとも一つに接続される、前記第十六のインバータと；
を含む、前記第四の複数のインバータと
のうち、一つ以上の含むことを特徴とする、請求項２２に記載の電荷ポンプ。
【請求項２５】  前記第一のルーティング・トランジスタの前記ゲートは、前記第十六の前記出力に接続され、前記第二のルーティング・トランジスタの前記ゲートは、前記第七のインバータの前記出力に接続され、前記第三のルーティング・トランジスタの前記ゲートは、前記第十五のインバータの前記出力に接続され、および前記第四のルーティング・トランジスタの前記ゲートは、前記第八のインバータの前記出力に接続されることを特徴とする、請求項２４に記載の電荷ポンプ。
【請求項２６】  半導体基板と；
タイミング信号出力を有する前記基板上のポンプ・タイミング回路であって、前記タイミング信号出力は、タイミング信号を供給する、前記ポンプ・タイミング回路と；
それぞれ伝達回路及びポンプ・ノードを含む、前記基板上の、複数の直列電荷ポンプ・ステージであって、前記複数の直列接続された電荷ポンプ・ステージの１つのポンプ・ノードが、コンデンサを介して前記タイミング信号出力に結合され、前記複数の直列電荷ポンプ・ステージは、電荷ポンプ出力を有し、電荷は、前記タイミング信号に応答して、前記複数の電荷ポンプ・ステージを通して前記電荷ポンプ出力へと励起され、前記タイミング信号は、第一のタイミング信号コンポーネントおよび第二のタイミング信号コンポーネントによって駆動され、前記第一のタイミング信号コンポーネントの開始は、前記第二のタイミング信号コンポーネントの開始からの遅延によって分離される、前記複数の直列電荷ポンプ・ステージと
を具備する集積回路。
【請求項２７】  タイミング信号の電流の方向は、前記第一のタイミング信号コンポーネントおよび前記第二のタイミング信号コンポーネントの両方の間、一定に維持されることを特徴とする、請求項２６に記載の集積回路。
【請求項２８】  前記タイミング信号の電力は、前記第二のタイミング信号コンポーネントの前記開始によって増加することを特徴とする、請求項２６に記載の集積回路。
【請求項２９】  前記タイミング信号の前記電力は、前記コンデンサは、電圧源、電流源、ならびにアースのうち、少なくとも一つに接続することによって、前記第二のタイミング信号コンポーネントの前記開始によって増加することを特徴とする、請求項２８に記載の集積回路。
【請求項３０】  前記基板上のメモリ・アレイと；
前記メモリ・アレイに結合された複数のワード・ライン（word line）と；
を具備する請求項２６記載の集積回路。
【請求項３１】  電荷ポンプにおいて流れるピーク電流の大きさを低減させるための方法であって：前記電荷ポンプがそれぞれの伝達回路及び電流ポンプ・ノードを含んだ複数の直列電荷ポンプ・ステージを有し、
（ａ）第一のタイミング信号コンポーネントで、前記電荷ポンプにおける前記複数のステージの一つにおける電荷ポンプ・ノードを駆動し；および
（ｂ）第二のタイミング信号コンポーネントで、前記電荷ポンプ・ノードを駆動するステップであって、前記第一のタイミング信号コンポーネントの開始と、および前記第二のタイミング信号コンポーネントの開始は、遅延によって分離されることを特徴とする、前記ステップ
を具備する前記方法。
【請求項３２】  前記電荷ポンプ・ノードは、前記第二のタイミング信号コンポーネントの前記開始に従う、より大きな電流容量で駆動されることを特徴とする、請求項３１に記載の方法。
【請求項３３】  前記工程（ａ）が、コンデンサを通して、および遅延の後、前記電荷ポンプ・ノードに結合された第一の電流ハンドリング装置を作動させることによって、前記複数のステージの一つにおける電荷ポンプ・ノードを駆動させることを含み；
前記工程（ｂ）が前記第一の電流ハンドリング装置は作動したままである一方で、前記コンデンサを通して、前記電荷ポンプ・ノードに結合された第二の電流ハンドリング装置を駆動させることによって、前記電荷ポンプ・ノードを駆動させることを特徴とする請求項３１記載の方法。
【請求項３４】  前記第一の電流ハンドリング装置は、第一の電界効果トランジスタであり、前記第二の電流ハンドリング装置は、第二の電界効果トランジスタであることを特徴とする、請求項３３に記載の方法。
【請求項３５】  第一のタイミング信号コンポーネントが、或る極性を有し、第二のタイミング信号コンポーネントが、前記極性を有する請求項３１記載の方法。